(57)【要約】【課題】  スプリングワイヤを使用せずに、シートを止めることのできるシート止め具を提供することを課題とする。【解決手段】  上段溝４１と下段溝４２とを備えたＥ字断面の条材４３と、この条材４３の上段溝４１に一方のシートの端部を押込み、前記下段溝４２に他のシートの端部を押込む横向きＵ字断面のストッパ４４と、条材４３をビニールハウスの骨格材１０に係止するアタッチメント４５とからなるビニールハウスのシート止め具４０。【選択図】      図５
2004337180.tif 000002
【特許請求の範囲】
【請求項１】
上段溝と下段溝とを備えたＥ字断面の条材と、
この条材の上段溝に一方のシートの端部を押込み、下段溝に他のシートの端部を押込む横向きＵ字断面のストッパと、
前記条材をビニールハウスの骨格材に係止するアタッチメントと、
からなることを特徴とするビニールハウスのシート止め具。
【請求項２】
前記アタッチメントはくさびによって骨格材に条材を係止するものであることを特徴とする請求項１記載のビニールハウスのシート止め具。
【発明の詳細な説明】
【技術分野】
【０００１】
本発明はビニールハウスのシート止め具に関するものである。
【背景技術】
【０００２】
図８は、アーチ型ビニールハウスの正面図であり、ビニールハウス１００は、アーチパイプ１０１に後述のシート止め具を用いてシート１０２を貼っただけの簡易型温室である。ハウス内の過度な温度上昇を抑えることなどを目的として換気が必要となるので、適宜、換気窓１０３，１０３を開けることができる構造を採用している。
【０００３】
図９（ａ），（ｂ）は従来の換気窓の拡大図である。
（ａ）において、アーチパイプ１０１に横渡ししたシート止め具１０５に上部シート１０６の下端を止め、一方、下方のシート止め具１０７に下部シート１０８の上端を止めることで、所定の高さの開口、すなわち換気窓１０３を形成し、上方のシート止め具１０５からウインドウシート１０９を垂らすことで、換気窓１０３を塞ぐというものである。そして、ウインドウシート１０９の下部に取付けた巻取り芯１１０を矢印方向へ回動することで換気窓１０３を開けることができる。
（ｂ）は換気窓１０３が開いた状態を示す。
【０００４】
図１０は、従来の換気窓の課題を示す図であり、掛軸状に巻上げ／下げる都合上、巻取り芯１１０はハウスの外方に置かざるを得ない。すると、雨による水滴１１２・・・（・・・は複数個を示す。以下同様。）が、上隅に溜まって水溜まり１１３となり、結果的に、薄いシート同士が貼り着いたり、巻取り芯１１０が錆びることになる。
【０００５】
ところで、前記図９に示したシート止め具１０５，１０７は、軽量Ｃ形鋼形状のレールにシート１０６，１０８を押込み、これらをスプリングワイヤ１０５ａ，１０７ａで抑える構造のものである。
図から明らかなように、ごみが溜まりやすくごみや土砂により汚れが目立つ。また、スプリングワイヤ１０５ａ，１０７ａは深く噛合しているため、脱着に手間取る。
【発明の開示】
【発明が解決しようとする課題】
【０００６】
そこで、本発明の課題は、スプリングワイヤを使用せずにシートを止めることのできるシート止め具を提供することを課題とする。
【課題を解決するための手段】
【０００７】
請求項１に係る発明は、ビニールハウスのシート止め具であって、上段溝と下段溝とを備えたＥ字断面の条材と、この条材の上段溝に一方のシートの端部を押込み、下段溝に他のシートの端部を押込む横向きＵ字断面のストッパと、前記条材をビニールハウスの骨格材に係止するアタッチメントとからなることを特徴とする。
【０００８】
請求項２に係る発明は、請求項１において、前記アタッチメントはくさびによって骨格材に条材を係止するものであることを特徴とする。
【発明の効果】
【０００９】
請求項１に係る発明では、ビニールハウスのシート止め具で、上段溝と下段溝とを備えたＥ字断面の条材と、この条材の上段溝に一方のシートの端部を押込み、下段溝に他のシートの端部を押込む横向きＵ字断面のストッパと、前記条材をビニールハウスの骨格材に係止するアタッチメントとからなるので、Ｕ字断面のストッパをＥ字断面の条材に差込むだけでシートを固定することができ、ストッパを条材から引抜くだけでシートを外すことができる。従って、シート張り作業が極めて容易になる。
【００１０】
請求項２に係る発明では、前記アタッチメントをくさびによって骨格材に条材を係止するようにしたので、請求項１の効果に加えるに、ボルト、ナットを使用せずに、くさびだけで係止するので、アタッチメントの取付け作業が極めて容易になる。
【発明を実施するための最良の形態】
【００１１】
本発明を実施するための最良の形態を添付図に基づいて以下に説明する。なお、図面は符号の向きに見るものとする。
図１は、ビニールハウスの庇部材の斜視図であり、庇部材１は、二条の軽量Ｃ形鋼状のレール部２，２と、レール部２，２の内側フランジ３，３の縁からレール部２，２のウェブ４，４に略直角に張出した庇部５とを、一体的に形成してなる。
【００１２】
庇部材１は、金属薄板を折り曲げたところの板金工作で一体形成することができる。庇部５を二重にしたのはそのためである。
【００１３】
または、アルミニウム押出し成形法でも簡単に製造できる。さらには、樹脂の射出成形又は押出し成形でも製造可能である。これらの場合は、庇部５を一重にすればよい。
【００１４】
図２は、庇部材をビニールハウス換気窓の上方に取付けた例を示す図であり、アーチパイプ１０に、庇部材１を沿わせ、引張り具１１，１１の爪１２・・・を庇部材１の凹部に掛けた状態で、くさび１４，１４を打込んで庇部材１を、アーチパイプ１０に固定する。
【００１５】
庇部材１の上方のレール部２に上部シート１６の下端を嵌めてスプリングワイヤ１７で固定し、下方のレール部２にウインドウシート１８の下端を嵌めてスプリングワイヤ１７で固定する。スプリングワイヤ１７，１７はＯ部１７ａ，１７ａを備え、これらのＯ部１７ａ，１７ａに工具を引掛けることで簡単に取外すことができる。１９は巻取り芯である。
【００１６】
以上に述べた庇部材の作用を次に述べる。
図３は、図２の作用説明図であり、下方のシート止め具２１に下部シート２２の上端を止めて、換気窓２３を構成したものであり、ウインドウシート１８の下部が下部シート２２に重なっているので、換気窓２３は閉じた状態にある。
【００１７】
この状態で雨が降ってきたとすると、水滴２５・・・は庇部５に遮られるためウインドウシート１８には直接掛からない。
巻取り芯１９を図左に回してウインドウシート１８を巻上げて換気窓２３を開けた状態でも、ウインドウシート１８に水滴２５・・・が直接掛かる心配はない。
従って、巻取り芯１９が錆びたり、ウインドウシート１８が貼りつくという心配はない。
【００１８】
図４（ａ），（ｂ）は、庇部材の別実施例図である。
（ａ）において、庇部材３０は、別々に製作した二条の軽量Ｃ形鋼状のレール部３２，３２と、庇部３５とからなる。この庇部３５のフランジ部３６，３６を、レール部３２，３２の内側フランジ３３，３３に当接する。
（ｂ）において、フランジ部３６，３６を内側フランジ３３，３３に溶接することで一体化する。
すなわち、庇部材は複数の部品を接合することで一体形成してもよい。
【００１９】
次に、ビニールハウスに好適な本発明に係るシート止め具を、図５〜図７で説明する。
図５は、本発明に係るビニールハウスのシート止め具の分解斜視図であり、シート止め具４０は、上段溝４１と下段溝４２とを備えたＥ字断面の条材４３と、この条材４３の上段溝４１に一方のシートの端部を押込み、下段溝４２に他のシートの端部を押込む横向きＵ字断面のストッパ４４と、前記条材４３をビニールハウスの骨格材としてのアーチパイプ１０に係止するアタッチメント４５と、このアタッチメント４５に付属したくさび４６とからなる。
【００２０】
詳しくは、条材４３は金属薄板を折り畳むことで一体成形したものであり、板金の一端（上段溝４１の入口）に折返部４３ａ、他端（底板４３ｂの左端）に折返部４３ｃを形成し、底板４３ｂの右端も圧潰により鍔４３ｄを形成したものである。なお、４３ｆ・・・は水抜き孔である。これら水抜き孔４３ｆの作用は後述する。
【００２１】
ストッパ４４は金属薄板を折り畳むことで一体成形したものであり、板金の一端に折返部４４ａ、他端に折返部４４ｂを形成し、水抜き切欠き４４ｃ・・・を設けたものである。
【００２２】
アタッチメント４５は、側面視で底面４５ａ、この底面４５ａの両辺から起設した脚４５ｂ，４５ｂと、これら脚４５ｂ，４５ｂの上端を内側に折曲て形成した係止爪４５ｃ，４５ｃと、アーチパイプ１０を通すために底面４５ａ及び脚４５ｂ，４５ｂに開けた切欠き孔４５ｄとからなる。
【００２３】
図６は、本発明に係るビニールハウスのシート止め具の組立図であり、条材４３の折返部４３ｃと鍔４３ｄに、アタッチメント４５の係止爪４５ｃ，４５ｃを引掛け、底面４５ａとアーチパイプ１０との間にくさび４６を打込むことで、アーチパイプ１０に条材４３を固定する。この条材４３に次の要領で上部シート４８と下部シート４９を固定する。
【００２４】
図７（ａ），（ｂ）は、本発明に係るシートの取付け要領説明図である。
（ａ）にて、条材４３の上面に両面粘着テープ５１を用いて上部シート４８の一端を巻き込み代を保って貼りつける。同様に、下段溝４２の入口に両面粘着テープ５２を用いて下部シート４９の一端を巻き込み代を保って貼りつける。次に、ストッパ４４を矢印に沿って条材４３に差し込む。すなわち、上部シート４８端を上段溝４１に、下部シート４９端を下段溝４２に巻き込む。
（ｂ）は巻き込み後の断面を示し、上部シート４８の後端と、下部シート４９の前端が条材４３を介して接続された状態となる。
【００２５】
ストッパ４４を抜くだけで簡単に上部シート４８及び下部シート４９を条材４３から取外すことができる。
【００２６】
そして、スプリングワイヤを使用した従来のシート止め具をビニールハウスの屋根も適用した場合には、汚れを溜めないようにするため、シート止め具を屋根勾配に沿って縦に敷設し、シートを「縦張り」するに必要があった。
これに対して、本発明のシート止め具４０は、シートの「横張り」が可能となり、条材４３をアーチパイプ１０・・・のクロス材としての骨格材を兼ねさせることができ、部材の有効活用が図れる。
【００２７】
図６は、シート止め具４０をアーチパイプ１０・・・のクロス材とした場合に相当するが、ハウス内の蒸気が上部シート４８の裏面（下面）に結露し、図示Ｂに溜まる虞れがある。そこで、その水を水抜き孔４３ｆ及び水抜き切欠き４４ｃを通じて下部シート４９上面へ流し、下部シート４９の上面を流してハウス外へ排出することができる。
【００２８】
なお、ビニールハウスに貼るシートはビニールに限るものではなく樹脂シートであれば種類は問わない。
【産業上の利用可能性】
【００２９】
本発明に係るビニールハウスのシート止め具は、農業用のビニールハウスのビニールシートを骨材に試着する止め具に好適である。
【図面の簡単な説明】
【００３０】
【図１】ビニールハウスの庇部材の斜視図
【図２】庇部材をビニールハウス換気窓の上方に取付けた例を示す図
【図３】図２の作用説明図
【図４】庇部材の別実施例図
【図５】本発明に係るビニールハウスのシート止め具の分解斜視図
【図６】本発明に係るビニールハウスのシート止め具の組立図
【図７】本発明に係るシートの取付け要領説明図
【図８】アーチ型ビニールハウスの正面図
【図９】従来の換気窓の拡大図
【図１０】従来の換気窓の課題を示す図
【符号の説明】
【００３１】
１０…骨格材、  ４３…Ｅ字断面の条材、  ４１…上段溝、  ４２…下段溝、  ４４…Ｕ字断面のストッパ、  ４５…アタッチメント、  ４６…くさび、  ４８，４８…シート。
【図１】
2004337180.tif 000003
【図２】
2004337180.tif 000004
【図３】
2004337180.tif 000005
【図４】
2004337180.tif 000006
【図５】
2004337180.tif 000007
【図６】
2004337180.tif 000008
【図７】
2004337180.tif 000009
【図８】
2004337180.tif 000010
【図９】
2004337180.tif 000011
【図１０】
2004337180.tif 000012